(57)【要約】【課題】押圧部材の個数が異なっても押ボタンスイッチが収納されるケースの共通化が図れるスイッチ操作装置を提供する。【解決手段】回路基板７に固定された押ボタンスイッチ６を収納したケース３に開口部８を設け、この開口部８を塞ぐように配置した複数または単数の押圧部材９を押圧操作することによって押ボタンスイッチ６を作動させるようにしたスイッチ操作装置において、押圧部材９が複数の場合は各押圧部材の端部１５側に少なくとも１個の軸部１６を同一線上となるように設け、押圧部材９が単数の場合は押圧部材９の端部１５側に複数の軸部１６を同一線上となるように設け、押圧部材９が複数あるいは単数の何れであっても軸部１６が支持可能である支持部１８をケース３に設けて、この支持部１８を支点として押圧部材９を回動可能とした。【選択図】  図４
2004185864.tif 000002
【特許請求の範囲】
【請求項１】
取付部材に固定された押ボタンスイッチを収納したケースに開口部を設け、この開口部を塞ぐように配置した複数または単数の押圧部材を押圧操作することによって前記押ボタンスイッチを作動させるようにしたスイッチ操作装置において、前記押圧部材が複数の場合は各押圧部材の端部側に少なくとも１個の軸部を同一線上となるように設け、前記押圧部材が単数の場合は押圧部材の端部側に複数の軸部を同一線上となるように設け、前記押圧部材が複数あるいは単数の何れであっても前記軸部が支持可能である支持部を前記ケースに設けて、この支持部を支点として前記押圧部材を回動可能としたことを特徴とするスイッチ操作装置。
【請求項２】
前記押ボタンスイッチは前記軸部が設けられた端部とは反対の端部側に対応した前記取付部材に固定されていることを特徴とする請求項１に記載のスイッチ操作装置。
【請求項３】
前記押圧部材と前記取付部材との間に、前記押圧部材を反押圧方向に付勢する付勢部材を設けたことを特徴とする請求項１または請求項２に記載のスイッチ操作装置。
【発明の詳細な説明】
【０００１】
【発明の属する技術分野】
本発明は、例えば車両用計器のケース内に収納された表示切替用などの押ボタンスイッチをケースの外部から押圧操作するスイッチ操作装置に関するものである。
【０００２】
【従来の技術】
車両用計器には、車両の走行距離や車室外の温度，車両の燃費などに関する情報を表示する表示部が備えられている。この表示部は多くの情報を同時に表示させる場合もあるが、切り替えによって交互あるいは順次に表示させる場合が多い。この様な例として、特許文献１に記載されているような押圧操作装置があり、表示器３の表示切り替えなどを行うスイッチ４が組み付けられたプリント基板２がケース１内に収納してある。また、スイッチ４と対向するケース１箇所には操作孔部Ｈが設けられ、この操作孔部Ｈにスイッチ４を作動するための押圧部材（防塵部材Ｅ）が配置してある。そして、ケース１の外部から操作部材を押圧することによってスイッチ４が押されて、表示器３の表示が切り替わるようになっている。なお、上述した符号は特許文献１で用いられている符号である。
【０００３】
【特許文献１】
特開平１０−１６２６８８号公報（図１）
【０００４】
【発明が解決しようとする課題】
しかしながら、表示内容は車両のグレードによって異なる場合がある。つまり、表示数（表示の種類）によってはスイッチ４が１個の場合、あるいは２個必要な場合がある。すると、スイッチ４の個数に応じた押圧部材が必要であるのみならず、操作部材が装着されるケース１の変更が必要となり、ケース１の種類が増えてコストアップとなる。
【０００５】
本発明はこの様な点に鑑みなされたもので、押圧部材の個数が異なっても押ボタンスイッチが収納されるケースの共通化が図れるスイッチ操作装置を提供することを目的とする。
【０００６】
【課題を解決するための手段】
本発明は前記課題を解決するため、取付部材に固定された押ボタンスイッチを収納したケースに開口部を設け、この開口部を塞ぐように配置した複数または単数の押圧部材を押圧操作することによって前記押ボタンスイッチを作動させるようにしたスイッチ操作装置において、前記押圧部材が複数の場合は各押圧部材の端部側に少なくとも１個の軸部を同一線上となるように設け、前記押圧部材が単数の場合は押圧部材の端部側に複数の軸部を同一線上となるように設け、前記押圧部材が複数あるいは単数の何れであっても前記軸部が支持可能である支持部を前記ケースに設けて、この支持部を支点として前記押圧部材を回動可能としたものである。
【０００７】
また、前記押ボタンスイッチは前記軸部が設けられた端部とは反対の端部側に対応した前記取付部材に固定されているものである。
【０００８】
また、前記押圧部材と前記取付部材との間に、前記押圧部材を反押圧方向に付勢する付勢部材を設けたものである。
【０００９】
【発明の実施の形態】
本発明を車両の計器に用いられるスイッチ操作装置を実施形態として説明する。図１〜図６は押圧部材が２個（複数個）の場合を示す。図１は速度計１と回転計２が合成樹脂製のケース３内に収納されている状態を示す計器の正面図である。４は速度計１に備えられている液晶表示パネルであり、例えば車両の走行距離（トータル積算およびトリップ積算）や外気温，燃費を表示するようになっている。また、速度計１と回転計２の間には車両の状態を示す各種パイロット表示部５（例えばハイビーム表示部やエンジンオイル表示部）が設けてある。Ｓはスイッチ操作装置であり、図２に部分詳細正面を示し、図３〜図６に各断面を示す。
【００１０】
スイッチ操作装置Ｓは、２個の押ボタンスイッチ６，６Ａと、この押ボタンスイッチ６，６Ａが半田付固定された取付部材としての硬質な回路基板７と、押ボタンスイッチ６，６Ａが固定された回路基板７が収納される開口部８を有するケース３（速度計１や回転計２が収納されているのと同じ）と、開口部８を塞ぐように配置され、押圧操作することによって押ボタンスイッチ６，６Ａを作動させる合成樹脂製の押圧部材９，９Ａを備えており、回路基板７はケース３内に設けられた取付ボス１０にビス１１締めされている。
【００１１】
押ボタンスイッチ６，６Ａは復帰可能に保持された可動部１２とハウジング１３を備えている。そして可動部１２を押圧することによって、液晶表示パネル４の表示切替を可能とするものである。液晶表示パネル４の表示形態は、常時表示されるトータル走行距離と、トータル走行距離の下方に並べられて表示されるトリップ走行距離からなり、トリップ走行距離は押ボタンスイッチ６の可動部１２を押圧すること、すなわち押圧部材９を押圧操作することによって外気温表示に切り替わり、更に押圧することにより燃費表示，トリップ走行距離表示と順次切り替わるようになっている。また、トリップ走行距離を表示している時に押ボタンスイッチ６Ａ、すなわち押圧部材９Ａを押圧操作することによってトリップ走行距離値がゼロになる（ゼロセット）ようになっている。
【００１２】
図１あるいは図２に示す様に、台形状の押圧部材９，９Ａは隣り合う押圧部材の対向端部（対向辺）１４，１４Ａがほぼ接するように左右方向に２個並べて配置してある。そして、押圧部材９，９Ａの裏面側には配置方向に沿った一方の端部１５側（図２中、下側）に断面が矩形の軸部１６が突設してある。各押圧部材９，９Ａに設けた軸部１６は、図２に示す様に同一線上にある。また、軸部１６に対応したケース３には、軸部１６が挿入される孔部１７を有する支持部１８が設けてある（図４参照）。
【００１３】
押ボタンスイッチ６，６Ａは、軸部１６が設けられた押圧部材９，９Ａの端部１５とは反対の端部１５Ａ側に対応した回路基板７上に固定されている。この押ボタンスイッチ６，６Ａの可動部１２の押圧は、前述した様に押圧部材９，９Ａを押圧操作することによってなされるが、図４に示す様に可動部１２に対向した押圧部材９箇所に可動部１２と僅かな隙間Ｈ１を有する状態で押圧軸１９が設けてあり、押圧部材９を押圧操作すると押圧軸１９で可動部１２が押されるようになっている。２０は可動部１２に過度の押し圧が加わらないようにするために設けられた度当り部であり、押圧部材９の下方（図４に於いては右方向）への移動量を規制する。
【００１４】
図５に示す様に押圧部材９と回路基板７との間には、付勢部材としてのコイルバネ２１が設けてある。このコイルバネ２１は押圧部材９の裏面側に形成した円柱状のボス部２２の周囲に配置されており、押圧部材９を押圧操作した際にコイルバネ２１は圧縮されるが、押圧操作を止めた際にはコイルバネ２１が元の状態に戻ろうとする（反押圧方向に付勢する）。其れにつれて押圧部材９も元の位置に戻るようになっている。
【００１５】
また、押圧部材９は図６に示す様に、押圧部材９の両方の端部１５，１５Ａ側の裏面側に設けられた係止爪２３を有する係止片２４によって、ケース３に設けた係止部２５，２５Ａに係着されている。なお、係止部２５Ａと押圧部材９の端部１５Ａとの間には隙間Ｈ２が設けてあるが、これは押ボタンスイッチ６の可動部１２を押圧する押圧部材９の少なくとも移動量分の隙間Ｈ２である。また、図５に示した様に押圧部材９はコイルバネ２１によって上方（図５中、左方）に付勢されているため、隙間Ｈ２を保った状態で押圧部材９は係止部２５Ａに係着されている（図６参照）。つまり、係止爪２３が抜け止めとなっている。係止部２５側の係止爪２３も押圧部材９が上方に抜けない様に作用している。
【００１６】
この様に構成したスイッチ操作装置Ｓにおいて、押圧部材９，９Ａを下方へ押すと、押圧部材９，９Ａは軸部１６が支持部１８に支えられた状態で支持部１８が支点となって回動する（すなわち、押圧部材９，９Ａの端部１５Ａ側が下方に移動して押圧軸１９が可動部１２を押圧する）。それにより、前述した様な表示切替が行われる。なお、各押圧部材９，９Ａに各１個の軸部１６としたが同一線上に各２個ずつ設けても良い。その場合、ケース３側の支持部１８も２個必要となる。
【００１７】
図７および図８は押圧部材が１個（単数）の場合のスイッチ操作装置Ｓ１を示すが、適用される計器の正面図は図１とほぼ等しいため省略する。また、図７におけるＢ−Ｂ断面，Ｃ−Ｃ断面，Ｄ−Ｄ断面は図４〜図６と同等であり、その詳細説明は省略する。
【００１８】
液晶表示パネル４の表示形態は、通常表示されるトータル走行距離からなり、このトータル走行距離表示は押圧部材９Ｂを押圧操作することによってトリップ走行距離表示に切り替わり、更に押圧することにより外気温表示に切り替わるようになっている。また、トリップ走行距離を表示している時に押圧部材９Ｂを所定時間（例えば１秒）以上押すことによってトリップ走行距離値がゼロになる（ゼロセット）ようになっている。
【００１９】
スイッチ操作装置Ｓ１は、前述した様に表示形態が少ないため、１個の押圧部材９Ｂで表示切替を行うようになっており、この押圧部材９Ｂは、前述した押圧部材９，９Ａを合体したと同じ形状となっている。また、押圧部材９Ｂの端部１５側（図７中、下側）の裏面には断面が矩形の軸部１６が２個突設してある。この軸部１６は図７に示す様に同一線上にある。なお、この軸部１６は押圧部材が２個の場合の軸部１６と同位置に同形状で設けてある。従って、この軸部１６に対応したケース３に設けられた孔部１７を有する支持部１８は、押圧部材が２個の場合の支持部１８と同位置，同形状となる。
【００２０】
また、押圧部材９Ｂの端部１５Ａ側に対応した回路基板７上には、同一機能を有する２個の押ボタンスイッチ６Ｂが固定されているが、この押ボタンスイッチ６Ｂは押圧部材が２個の場合の押ボタンスイッチ６，６Ａと同位置に設けてある。なお、前述した様に、軸部１６および支持部１８，コイルバネ２１，係止片２４および係止爪２３といった箇所の構造は、押圧部材が２個の場合と同等であるので詳細説明は省略する。
【００２１】
この様に構成したスイッチ操作装置Ｓ１において、押圧部材９Ｂを下方へ押すと、押圧部材９Ｂは２箇所の軸部１６が２箇所の支持部１８に支えられた状態で支持部１８が支点となって回動する（すなわち、押圧部材９Ｂの端部１５Ａ側が下方に移動して押圧軸１９が可動部１２を押圧する）。それにより、前述した様な表示切替が行われる。比較的大きい（面積が広い）押圧部材９Ｂであっても、同一機能を有する押ボタンスイッチ６Ｂが２個あることにより、押圧部材９Ｂのどの箇所を押しても少なくとも何れかの可動部１２が押圧されるために確実な表示切替ができる。なお、同一の押ボタンスイッチ６Ｂを左右に２個使ったが、中央に１個配置するようにしても良い。
【００２２】
この様に構成したことにより、押ボタンスイッチ６，６Ａ，６Ｂを押圧操作することによって作動させる押圧部材９，９Ａ，９Ｂが複数あるいは単数の何れであってもケース３に装着可能となり、従って、ケース３の共通化が図れる。また、押ボタンスイッチ６，６Ａ，６Ｂが軸部１６が設けられた端部１５とは反対の端部１５Ａ側に対応した回路基板７に固定されていることにより、押圧部材の回動支点（支持部１８）からより離れた位置（押圧部材９，９Ａ，９Ｂの端部１５Ａ側）で可動部１２を押圧することになり、押圧部材の移動距離が多くとれ押圧操作時のフィーリングが良い。また、押圧部材９，９Ａ，９Ｂと回路基板７との間に、押圧部材９，９Ａ，９Ｂを反押圧方向に付勢するコイルバネ２１を設けたことにより、押圧軸１９（押圧部材）と可動部１２との間に確実に隙間Ｈ１を設けることができ、押圧の目的以外で押圧部材９，９Ａ，９Ｂの表面に例えば手を振れたとしても、可動部１２が直ちに作動することはない。
【００２３】
なお、押圧部材９，９Ａ，９Ｂの形状を台形としたが、台形に限らず、例えば長方形，正方形，平行四辺形など略四角形であれば良い。また、付勢部材としてコイルバネ２１を用いたが、コイルバネ２１の代わりに押圧部材９，９Ａ，９Ｂと一体の弾性片を形成し、コイルバネ２１と同様な機能を持たせるようにしても良い。また、コイルバネ２１や弾性片などの付勢部材を設けることなく、押ボタンスイッチ６，６Ａ，６Ｂの可動部１２の復帰力で押圧部材９，９Ａ，９Ｂの位置を保つようにしても良い。また、押ボタンスイッチ６，６Ａに対応した押圧部材９，９Ａの表面付近箇所に、表示形態，手段などは任意であるが指標を設けておけば押ボタンスイッチ６，６Ａ位置を想定でき、押圧部材９，９Ａを押圧する際の目安とすることもできる。
【００２４】
また、図４で示した軸部１６および支持部１８の形状を図９に示す様に、断面が半円形状の支持部１８Ａと、この支持部１８Ａを包み込むように形成された軸部１６Ａとしても良い。要は押圧部材に設けた軸部を支える支持部をケースに設けて、この支持部を支点として押圧部材が回動可能になっていれば、その方法，形状などは任意である。
【００２５】
【発明の効果】
以上詳述したように、本発明によれば、押圧部材の個数が異なっても押ボタンスイッチが収納されるケースの共通化が図れるスイッチ操作装置を提供することができる。
【図面の簡単な説明】
【図１】本発明の実施形態で押圧部材が２個の場合のスイッチ操作装置を適用した計器の正面図。
【図２】同実施形態のスイッチ操作装置を示す部分正面図。
【図３】図２におけるＡ−Ａ断面図。
【図４】図２におけるＢ−Ｂ断面図。
【図５】図２におけるＣ−Ｃ断面図。
【図６】図２におけるＤ−Ｄ断面図。
【図７】本発明の実施形態で押圧部材が１個の場合のスイッチ操作装置を示す部分正面図。
【図８】図７におけるＥ−Ｅ断面図。
【図９】本発明における軸部および支持部構造の変形形態を示す断面図。
【符号の説明】
３  ケース
Ｓ，Ｓ１  スイッチ操作装置
６，６Ａ，６Ｂ  押ボタンスイッチ
７  回路基板（取付部材）
９，９Ａ，９Ｂ  押圧部材
１５，１５Ａ  端部
１６，１６Ａ  軸部
１８，１８Ａ  支持部
２１  コイルバネ（付勢部材）
【図１】
2004185864.tif 000003
【図２】
2004185864.tif 000004
【図３】
2004185864.tif 000005
【図４】
2004185864.tif 000006
【図５】
2004185864.tif 000007
【図６】
2004185864.tif 000008
【図７】
2004185864.tif 000009
【図８】
2004185864.tif 000010
【図９】
2004185864.tif 000011